(57)【要約】【課題】コストアップし難く、吸収性物品の装着中・装着後に、固定したウイング部が千切れ難く、捲れ難い吸収性物品を提供すること。【解決手段】本発明の吸収性物品の１例であるナプキン１は、表面シート２、裏面シート３及び吸収体４を具備する吸収性本体５と、その両側部５ｓから延出するウイング部６とを有する。ナプキン１は、ウイング部６の前付け根６０ｂ及び後付け根６０ｃの近傍で且つ外周縁１ｗよりも内側に、貫通口１１を有する。前付け根６０ｂ側及び後付け根６０ｃ側の貫通口１１は、ナプキン１を下着２０に装着する際にウイング部６をクロッチ部２１の側縁２１ｓに沿って折り返してクロッチ仮想線ＩＬを形成した場合に、クロッチ仮想線ＩＬ上に配さている。前付け根６０ｂ側の貫通口１１と後付け根６０ｃ側の貫通口１１との間隔Ｌ１は、前付け根６０ｂと後付け根６０ｃとの間の距離Ｌ２の６０％以上９０％以下である。【選択図】図１
2014064858.tif 000002
【特許請求の範囲】
【請求項１】
液透過性の表面シート、液難透過性の裏面シート及びそれらの間に配された吸収体を具備する縦長の吸収性本体と、該吸収性本体の縦方向に沿う両側部から外方に延出する一対のウイング部とを有する吸収性物品であって、
前記ウイング部の前付け根及び後付け根それぞれの近傍で且つ前記吸収性物品の外周縁よりも内側に、貫通口又は２本以上のスリットが交差してなるスリット部を有し、
前付け根側及び後付け根側それぞれの前記貫通口又は前記スリット部は、前記吸収性物品を下着のクロッチ部に装着する際に前記ウイング部を前記クロッチ部の側縁に沿って非肌対向面側に折り返してクロッチ仮想線を形成した場合に、該クロッチ仮想線上に配されており、
前記前付け根側の前記貫通口と前記後付け根側の前記貫通口との間隔、又は前記前付け根側の前記スリット部と前記後付け根側の前記スリット部との間隔は、前記前付け根と前記後付け根との間の距離の６０％以上９０％以下である吸収性物品。
【請求項２】
前記貫通口又は前記スリット部は、前記クロッチ仮想線に沿って延びている請求項１に記載の吸収性物品。
【請求項３】
前記吸収性物品は、その全外周縁に亘って接合により形成された周縁シール部を有し、
前記貫通口又は前記スリット部は、前記周縁シール部よりも内側に配されている請求項１又は２に記載の吸収性物品。
【請求項４】
一方の前記前付け根側の前記貫通口及び前記後付け根側の前記貫通口と他方の前記前付け根側の前記貫通口及び前記後付け根側の前記貫通口とは、又は一方の前記前付け根側の前記スリット及び前記後付け根側の前記スリットと他方の前記前付け根側の前記スリット及び前記後付け根側の前記スリットとは、それぞれ、縦方向に延びる前記吸収性物品の中心線に対して左右対称に配されている請求項１〜３の何れか１項に記載の吸収性物品。
【請求項５】
前記吸収性物品は前記貫通口を有し、
一方の前記前付け根側の前記貫通口及び前記後付け根側の前記貫通口と、他方の前記前付け根側の前記貫通口及び前記後付け根側の前記貫通口とは、それぞれ、縦方向に延びる前記吸収性物品の中心線に対して左右対称に配されており、
前記前付け根側の前記貫通口と前記後付け根側の前記貫通口とは、横方向に延びる前記吸収性物品の中心線に対して前後非対称に配されている請求項１〜３の何れか１項に記載の吸収性物品。
【請求項６】
前記吸収性物品は前記貫通口を有し、
一方の前記前付け根側の前記貫通口及び前記後付け根側の前記貫通口と、他方の前記前付け根側の前記貫通口及び前記後付け根側の前記貫通口とは、それぞれ、縦方向に延びる前記吸収性物品の中心線に対して左右対称に配されており、
前記前付け根側の前記貫通口と前記後付け根側の前記貫通口とは、横方向に延びる前記吸収性物品の中心線に対して前後対称に配されている請求項１〜３の何れか１項に記載の吸収性物品。
【請求項７】
前記貫通口は、前記クロッチ仮想線に沿う方向に関して、内側の大きさよりも外側の大きさの方が大きい請求項１〜６の何れか１項に記載の吸収性物品。
【請求項８】
前記貫通口は、前記クロッチ仮想線に沿う方向に関して、その両端側よりも中央寄り部分の大きさが最も大きい請求項１〜６の何れか１項に記載の吸収性物品。
【発明の詳細な説明】
【技術分野】
【０００１】
本発明は、パンティライナー（おりものシート）、生理用ナプキン、失禁パッド等の吸収性物品に関し、特にウイング部を有する吸収性物品に関する。
【背景技術】
【０００２】
パンティライナー、生理用ナプキン、失禁パッド等の吸収性物品には、ウイング部を有するものが知られている。このウイング部は、吸収性物品を下着のクロッチ部に固定するために、下着のクロッチ部の側縁に沿って折り返されて使用されるものである。ウイング部を有する吸収性物品として、例えば、特許文献１には、ウイング部の付け根にノッチが配された生理用ナプキンが記載されている。また、特許文献２には、ウイング部における折返し部に、該折返し部の両端に至らない長さで開口した切込み部が配された生理用ナプキンが記載されている。また、ウイング部を有する吸収性物品として、本出願人は、先に、伸張性不織布と非伸張性のシートからなる積層構造からなるウイング部を有する生理用ナプキンであって、該ウイング部の基端部寄りの部位における非伸張性のシートに、伸張性不織布を貫通しないスリットが形成された生理用ナプキンを提案した（特許文献３参照）。
【先行技術文献】
【特許文献】
【０００３】
【特許文献１】特開平２−１１１４０号公報
【特許文献２】特開平１１−７６２９８号公報
【特許文献３】特開２００５−４０２３５号公報
【発明の概要】
【発明が解決しようとする課題】
【０００４】
ウイング部を有する吸収性物品は、吸収性物品の装着中に、折り返されたウイング部の折り返し部分と下着のクロッチ部の側縁とが当たり、固定したはずのウイング部が捲れてしまう場合があった。このようにウイング部が捲れてしまうと、吸収性物品におけるウイング部の折り返し部分に、横方向に延びる皺が発生したり、ヨレが発生したりして、体液が横漏れしてしまう。
その点、特許文献１に記載の生理用ナプキンは、ウイング部の付け根にノッチが配されているので、固定したウイング部が捲れ難い。しかし、ノッチが配されているので、装着後、特許文献１に記載の生理用ナプキンを下着のクロッチ部から剥がす際に、ノッチを起点にウイング部が千切れ易い。このようにウイング部が千切れると、煩わしく、操作性が低下してしまう。
【０００５】
また、特許文献２に記載の生理用ナプキンは、ウイング部における折返し部の中央領域に切込み部が配されているので、生理用ナプキンにおけるウイング部の折返し部の中央領域によって、吸収体を固定し難い。このように吸収体を固定し難いと、やはり生理用ナプキンにおけるウイング部の折り返し部分に、横方向に延びる皺が発生したり、ヨレが発生したりして、体液が横漏れしてしまう。
【０００６】
また、特許文献３に記載の生理用ナプキンは、ウイング部の構成材料に伸張性不織布を用いているので、コストの観点から改良の余地があった。
【０００７】
従って、本発明の課題は、前述した従来技術が有する欠点を解消し得る吸収性物品を提供することにある。
【課題を解決するための手段】
【０００８】
本発明は、液透過性の表面シート、液難透過性の裏面シート及びそれらの間に配された吸収体を具備する縦長の吸収性本体と、該吸収性本体の縦方向に沿う両側部から外方に延出する一対のウイング部とを有する吸収性物品であって、前記ウイング部の前付け根及び後付け根それぞれの近傍で且つ前記吸収性物品の外周縁よりも内側に、貫通口又は２本以上のスリットが交差してなるスリット部を有し、前付け根側及び後付け根側それぞれの前記貫通口又は前記スリット部は、前記吸収性物品を下着のクロッチ部に装着する際に前記ウイング部を前記クロッチ部の側縁に沿って非肌対向面側に折り返してクロッチ仮想線を形成した場合に、該クロッチ仮想線上に配されており、前記前付け根側の前記貫通口と前記後付け根側の前記貫通口との間隔、又は前記前付け根側の前記スリット部と前記後付け根側の前記スリット部との間隔は、前記前付け根と前記後付け根との間の距離の６０％以上９０％以下である吸収性物品を提供することにより、前記課題を解決したものである。
【発明の効果】
【０００９】
本発明の吸収性物品によれば、コストアップし難く、吸収性物品の装着中に、固定したウイング部が千切れ難く、捲れ難い。その為、吸収性物品におけるウイング部の折り返し部分に、横方向に延びる皺が発生し難く、ヨレが発生し難く、体液の横漏れが起こり難い。また、本発明の吸収性物品によれば、装着後、下着のクロッチ部から剥がす際に、ウイング部が千切れ難く、操作性が向上する。
【図面の簡単な説明】
【００１０】
【図１】図１は、本発明の実施形態である生理用ナプキンを表面シート側から見た平面図である。
【図２】図２は、図１のＩ−Ｉ線断面図である。
【図３】図３は、図１に示す生理用ナプキンを下着のクロッチ部に固定した状態を示す図である。
【図４】図４は、前付け根側のスリット部と後付け根部側のスリット部を表した平面図である。
【図５】図５（ａ）及び図５（ｂ）は、前付け根側の貫通口と後付け根部側の貫通口の他の形状を表した平面図である。
【図６】図６（ａ）〜図６（ｄ）は、前付け根側の貫通口と後付け根部側の貫通口の他の形状を表した平面図である。
【発明を実施するための形態】
【００１１】
以下本発明をその好ましい実施形態に基づき図面を参照しながら説明する。
本実施形態の吸収性物品は、生理用ナプキンであり、本実施形態の生理用ナプキン１（以下、「ナプキン１」ともいう。）は、図１，図２に示すように、液透過性の表面シート２、液難透過性の裏面シート３及びそれら２，３の間に配された吸収体４を具備する縦長の吸収性本体５と、該吸収性本体５の縦方向に沿う両側部５ｓから外方に延出する一対のウイング部６，６とを有している。
ナプキン１は、図１に示すように、ナプキン１の縦方向に延びる中心線ＣＬｙに対して左右対称に形成されている。また、図１に示す中心線ＣＬｘは、ナプキン１の横方向に延びる中心線を示している。
【００１２】
本明細書において、「肌対向面」とは、例えば吸収性本体５などを構成する各部材の表裏両面のうち、装着時に装着者の肌側に配される面であり、「非肌対向面」とは、例えば吸収性本体５などを構成する各部材の表裏両面のうち、装着時に装着者の肌側とは反対側に向けられる面である。
また、各図に示す「Ｙ方向」は、中心線ＣＬｙに平行な方向であり、ナプキンの縦方向と同じ方向でもある。また各図に示す「Ｘ方向」は、中心線ＣＬｘに平行な方向であり、中心線ＣＬｙに直交する方向でもあり、ナプキンの横方向と同じ方向でもある。
【００１３】
表面シート２、裏面シート３、これらシート２，３間に配された吸収体４を備えた吸収性本体５は、ナプキン１においては、図１に示すように、ナプキン１の装着時に装着者の体液排泄部（膣口等）に当接する排泄部領域Ａ、ナプキン１の装着時に排泄部領域Ａよりも装着者の腹側に配される前方領域Ｂ、及びナプキン１の装着時に排泄部領域Ａよりも装着者の背中側に配される後方領域Ｃに区分される。一対のウイング部６，６は、吸収性本体５の排泄対向領域Ａに形成されている。
【００１４】
吸収性本体５の吸収体４は、図１に示すように、前方領域Ｂから後方領域Ｃに亘って延在しており、平面視して、縦方向（Ｙ方向）の前後端部が丸みを帯びた略長方形状を有している。吸収体４は、図２に示すように、吸水性ポリマーの粒子を保持させてなる吸収性コア４１を、透水性の薄紙からなるコアラップシート４２で被覆して形成されている。
【００１５】
吸収性本体５の表面シート２は、図２に示すように、吸収体４の肌対向面の全面を覆っている。図１に示すように、表面シート２の縦方向（Ｙ方向）の前後端部は、丸みを帯びており、吸収体２の前後端部それぞれから縦方向（Ｙ方向）外方に延出している。表面シート２の縦方向（Ｙ方向）に沿う両側部は、縦方向（Ｙ方向）に沿う直線状であり、吸収体４の両側部それぞれから横方向（Ｘ方向）外方に若干延出しているが、裏面シート３の側部よりは縦方向に延びる中心線ＣＬｙ寄りに配されている。即ち、表面シート２の側部は、吸収体４の側部と裏面シート３の側部との間に配されている。
【００１６】
吸収性本体５の裏面シート３は、図２に示すように、吸収体４の非肌対向面の全面を覆っており、前方領域Ｂ及び後方領域Ｃにおいては、吸収性本体５の輪郭と一致する輪郭を有しており、本体部５の排泄部領域Ａにおいては、前方領域Ｂ及び後方領域Ｃにおける吸収性本体５の両側部の位置から横方向（Ｘ方向）外方に延出している。この裏面シート３の延出部分が、ウイング部６の形成材料となる。
【００１７】
また、吸収性本体５は、ナプキン１においては、図１，図２に示すように、表面シート２、裏面シート３及び吸収体４以外に、一対のサイドシート７，７を備えている。一対のサイドシート７，７それぞれは、図１、図２に示すように、表面シート２の肌対向面側であって、表面シート２の縦方向（Ｙ方向）に沿う側部全域に亘って配設固定されている。吸収性本体５のサイドシート７は、前方領域Ｂ及び後方領域Ｃにおいては、表面シート２の縦方向（Ｙ方向）に沿う側部から横方向（Ｘ方向）外方に若干延出しており、排泄部領域Ａにおいては、前方領域Ｂ及び後方領域Ｃの位置よりもさらに横方向（Ｘ方向）外方に延出している。このサイドシート７の延出部分と、上述した裏面シート３の延出部分とが、接着、融着等により固定されて、ウイング部６が形成される。このように形成されたナプキン１は、吸収性本体５と一対のウイング部６，６とを有するようになる。尚、各サイドシート７は、例えば、その横方向（Ｘ方向）内方側（中心線ＣＬｙ側）の端部近傍に、縦方向（Ｙ方向）に伸長状態の弾性部材を配設固定して、装着時に、その弾性部材の収縮力により、前記端部から所定幅の部分が表面シート２から離間する立体ギャザーを形成するようにしてもよい。
【００１８】
ナプキン１においては、図１に示すように、その全外周縁１ｗに亘って接合により形成された周縁シール部８を有している。具体的には、上述したように、表面シート２が吸収体４の肌対向面を被覆し、裏面シート３が吸収体４の非肌対向面を被覆し、一対のサイドシート７，７が表面シート２の縦方向（Ｙ方向）に沿う側部全域に亘って被覆しており、吸収体４の外周縁から延出するそれらシート２，３，７の延出部分が、熱エンボス加工、超音波シール加工又はホットメルト等の接着剤等によって接合されて、図１に示すように、外周縁１ｗの全周に亘って周縁シール部８が形成されている。
【００１９】
また、ナプキン１においては、吸収性本体５を形成する吸収体４と裏面シート３との間、吸収体４と表面シート２との間、及び表面シート２とサイドシート７との間、サイドシート７と裏面シート３との間も、例えばスパイラルパターン等のパターン塗工の接着剤によって接合されている。特に、図１，図２には、吸収体４の縦方向（Ｙ方向）に沿う側部と表面シート２の縦方向（Ｙ方向）に沿う側部との間に位置する部分から、横方向（Ｘ方向）に亘って塗工された接着剤９が記載されている。接着剤９によって、吸収体４の側部から横方向（Ｘ方向）外方において、図２に示すように、裏面シート３と表面シート２との間が接合されており、裏面シート３とサイドシート７との間も接合されている。
【００２０】
また、ナプキン１においては、図２に示すように、吸収性本体５の裏面シート３の横方向（Ｘ方向）中央部及びウイング部６の裏面シート３の延在部それぞれの非肌対向面上に、それぞれ粘着剤が塗工されて、ナプキン１をショーツ等の下着のクロッチ部に固定するための固定部１０が形成されている。
【００２１】
ナプキン１においては、図１，図２に示すように、ウイング部６の前付け根６０ｂ及び後付け根６０ｃそれぞれの近傍で且つ吸収性物品（ナプキン１）の外周縁１ｗよりも内側に、貫通口１１を有している。貫通口１１は、図２に示すように、ナプキン１の厚み方向に貫通して形成されており、図１に示すように、一対のウイング部６，６それぞれに形成されておいる。各ウイング部６の貫通口１１は、図１に示すように、前付け根６０ｂ側の前方貫通口１１ｂと後付け根６０ｃ側の後方貫通口１１ｃとからなっている。ここで、ウイング部６の前付け根６０ｂとは、吸収性本体５の前方領域Ｂにおける側部５ｓの側縁から、延出するウイング部６が３０°立ち上がる部位を意味し、同様に、ウイング部６の後付け根６０ｃとは、吸収性本体５の後方領域Ｃにおける側部５ｓの側縁から、延出するウイング部６が３０°立ち上がる部位を意味する。また、前付け根６０ｂの近傍とは、具体的には、前付け根６０ｂから２ｃｍ以内の範囲のことを意味し、同様に、後付け根６０ｃの近傍とは、具体的には、後付け根６０ｃから２ｃｍ以内の範囲のことを意味する。なお、前方貫通口１１ｂは、その長手方向前方領域端が前付け根６０ｂの近傍に、後方貫通口１１ｃについては、その長手方向後方領域端が後付け根６０ｃの近傍に位置していれば良い。
【００２２】
各ウイング部６の貫通口１１、即ち、前方貫通口１１ｂ及び後方貫通口１１ｃそれぞれは、図１に示すように、ナプキン１を下着２０のクロッチ部２１に装着する際にウイング部６を前記クロッチ部２１の側縁２１ｓに沿ってナプキン１の非肌対向面側に折り返してクロッチ仮想線ＩＬを形成した場合（図３参照）に、該クロッチ仮想線ＩＬ上に配されている。クロッチ仮想線ＩＬについて、具体的に説明すると、クロッチ仮想線ＩＬは、前方貫通口１１ｂと後方貫通口１１ｃとを通って、縦方向（Ｙ方向）に延びる中心線ＣＬｙに向かって凸の曲線であり、曲率半径が１０ｃｍ以上２０ｃｍ以下のものである。
【００２３】
前方貫通口１１ｂと後方貫通口１１ｃとの間隔Ｌ１は、ウィング部の千切れ防止、および中央部で吸収体を固定することによるヨレ防止の観点から、前付け根６０ｂと後付け根６０ｃとの間の距離Ｌ２の、６０％以上であり、６５％以上が好ましく、７０％以上が更に好ましく、そして、９０％以下であり、８５％以下が好ましく、８０％以下が更に好ましく、一層具体的には、６０％以上９０％以下であり、６５％以上８５％以下であることが好ましく、７０％以上８０％以下であることが更に好ましい。なお、間隔Ｌ１は、前方貫通口１１ｂと後方貫通口１１ｃそれぞれの長手方向最内端同士間の、長手方向に沿った距離を言う（図１参照）。
【００２４】
各ウイング部６の貫通口１１（前方貫通口１１ｂ，後方貫通口１１ｃ）は、ナプキン１においては、図１に示すように、周縁シール部８よりも内側に配されている。
また、各ウイング部６の貫通口１１（前方貫通口１１ｂ，後方貫通口１１ｃ）は、ナプキン１においては、図１，図２に示すように、接着剤９が塗工された領域内に配されている。このように、接着剤９が塗工された領域内に配されているので、ナプキン１の厚み方向に貫通する貫通口１１（前方貫通口１１ｂ，後方貫通口１１ｃ）をナプキン１に形成したとしても、該貫通口１１に起因して体液の横漏れが発生することを防止できる。
【００２５】
また、各ウイング部６の貫通口１１（前方貫通口１１ｂ，後方貫通口１１ｃ）は、ナプキン１においては、図１に示すように、クロッチ仮想線ＩＬに沿って延びている。
【００２６】
また、各ウイング部６の貫通口１１（前方貫通口１１ｂ，後方貫通口１１ｃ）は、ナプキン１においては、図１に示すように、横方向に延びる中心線ＣＬｘに向かって延びる三角形状に形成されており、内側（中心線ＣＬｘ寄り）から外側に向かって漸次大きさが大きくなっている。このように、ナプキン１の貫通口１１（前方貫通口１１ｂ，後方貫通口１１ｃ）は、内側（中心線ＣＬｘ寄り）の大きさよりも外側の大きさの方が大きくなっている。また、ナプキン１においては、図１に示すように、三角形状の前方貫通口１１ｂの全体の大きさよりも、三角形状の後方貫通口１１ｃの全体の大きさの方が、大きくなっている。ウイング部６の面積（前付け根６０ｂ及び後付け根６０ｃよりも横方向（Ｘ方向）外方の部分の面積）Ｓ２に対する前方貫通口１１ｂの面積Ｓ１ｂの割合（Ｓ１ｂ×１００／Ｓ２）は、０．１２％以上４．３％以下であることが好ましく、０．４％以上１．９％以下であることが更に好ましい。そして、ウイング部６の面積（前付け根６０ｂ及び後付け根６０ｃよりも横方向（Ｘ方向）外方の部分の面積）Ｓ２に対する後方貫通口１１ｃの面積Ｓ１ｃの割合（Ｓ１ｃ×１００／Ｓ２）は、０．１２％以上１２％以下であることが好ましく、１．１％以上４．３％以下であることが更に好ましい。
【００２７】
具体的には、ウイング部６の面積Ｓ２は、１０ｃｍ2以上４５ｃｍ2以下であることが好ましく、１５ｃｍ2以上３０ｃｍ2以下であることが更に好ましい。前方貫通口１１ｂの面積Ｓ１ｂは、０．０３ｃｍ2以上１．１３ｃｍ2以下であることが好ましく、０．１３ｃｍ2以上０．５ｃｍ2以下であることが更に好ましい。後方貫通口１１ｃの面積Ｓ１ｃは、０．０３ｃｍ2以上３．１３ｃｍ2以下であることが好ましく、０．２８ｃｍ2以上１．１３ｃｍ2以下であることが更に好ましい。
【００２８】
以上のように前方貫通口１１ｂ及び後方貫通口１１ｃが形成されているので、ナプキン１においては、図１に示すように、一対のウイング部６，６の内の、一方のウイング部６の前方貫通口１１ｂ及び後方貫通口１１ｃと、他方のウイング部６の前方貫通口１１ｂ及び後方貫通口１１ｃとは、それぞれ、縦方向に延びる中心線ＣＬｙに対して左右対称に配されている。更に、ナプキン１においては、各ウイング部６の前方貫通口１１ｂと後方貫通口１１ｃとは、横方向に延びる中心線ＣＬｘに対して前後非対称に配されている。
【００２９】
本実施形態のナプキン１の形成材料について説明する。
表面シート２、裏面シート３、吸収体４、サイドシート７としては、通常、生理用ナプキン等の吸収性物品において従来用いられている各種の材料などを特に制限なく用いることができる。
例えば、表面シート２としては、単層又は多層構造の不織布や、開孔フィルム等を用いることができる。裏面シート３としては、液難透過性又は撥水性の樹脂フィルムや樹脂フィルムと不織布の積層体等を用いることができる。吸収体４としては、パルプ繊維等の繊維の集合体（不織布であっても良い）又はこれに吸水性ポリマーの粒子を保持させてなる吸収性コア４１を、透水性の薄紙や不織布からなるコアラップシート４２で被覆したものや、各種公知のポリマーシート等を用いることができる。サイドシート７としては、伸縮性のフィルム、不織布、織物またはそれらの積層シート等を用いることができる。
【００３０】
接着剤９としては、通常、生理用ナプキン等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。
【００３１】
上述した本発明の実施形態のナプキン１を使用した際の作用効果について説明する。
ナプキン１は、図３に示すように、下着２０のクロッチ部２１に装着して使用される。具体的には、ナプキン１は、一対のウイング部６，６を前記クロッチ部２１の側縁２１ｓに沿ってナプキン１の非肌対向面側に折り返し、固定部１０を介して、クロッチ部２１に固定して使用される。ナプキン１においては、図１に示すように、各ウイング部６における前付け根６０ｂ側の貫通口（前方貫通口１１ｂ）と後付け根６０ｃ側の貫通口（後方貫通口１１ｃ）とが、ウイング部６をクロッチ部２１の側縁２１ｓに沿って折り返して形成されるクロッチ仮想線ＩＬ上に配されているので、ウイング部６が折り返し易い。そして、装着中に、折り返したウイング部６の折り返し部分と下着２０のクロッチ部２１の側縁２１ｓとが当たることにより、捲れようとする力が働いたとしても、各ウイング部６における前付け根６０ｂ側の貫通口（前方貫通口１１ｂ）と後付け根６０ｃ側の貫通口（後方貫通口１１ｃ）とによって、捲れようとする力が緩和され、固定したウイング部６が捲れ難い。また、各ウイング部６における前付け根６０ｂ側の貫通口（前方貫通口１１ｂ）と後付け根６０ｃ側の貫通口（後方貫通口１１ｃ）とが、ナプキン１の外周縁１ｗよりも内側に配されているので、装着中に、固定したウイング部６が千切れ難く、装着後、下着２０のクロッチ部２１から剥がす際にも、ウイング部６が千切れ難く、操作性が向上する。また、ナプキン１は、各ウイング部６における前付け根６０ｂ及び後付け根６０ｃの近傍に、貫通する貫通口（前方貫通口１１ｂ，後方貫通口１１ｃ）を設けただけなので、コストアップもし難い。上述したように、装着中に、固定したウイング部６が千切れ難く、捲れ難いので、ウイング部６の折り返し部分に、横方向に延びる皺が発生し難く、ヨレが発生し難く、体液の横漏れも起こり難い。
【００３２】
また、ナプキン１においては、図１に示すように、各ウイング部６の貫通口１１（前方貫通口１１ｂ，後方貫通口１１ｃ）が、クロッチ仮想線ＩＬに沿って延びている。このように、貫通口１１（前方貫通口１１ｂ，後方貫通口１１ｃ）がクロッチ仮想線ＩＬに沿って延びているので、ウイング部６が更に折り返し易い。そして、装着中に、折り返したウイング部６の折り返し部分と下着２０のクロッチ部２１の側縁２１ｓとが当たることにより、捲れようとする力が働いたとしても、クロッチ仮想線ＩＬに沿って延びる各ウイング部６の貫通口１１（前方貫通口１１ｂ，後方貫通口１１ｃ）によって、捲れようとする力が更に緩和され、固定したウイング部６が更に捲れ難い。
【００３３】
また、ナプキン１の各ウイング部６の貫通口１１（前方貫通口１１ｂ，後方貫通口１１ｃ）は、図１に示すように、周縁シール部８よりも内側に配されている。そのため、装着中に、固定したウイング部６が更に千切れ難く、装着後、下着２０のクロッチ部２１から剥がす際にも、ウイング部６が更に千切れ難く、操作性が更に向上する。
【００３４】
また、ナプキン１においては、図１に示すように、一対のウイング部６，６の内の、一方のウイング部６の前方貫通口１１ｂ及び後方貫通口１１ｃと、他方のウイング部６の前方貫通口１１ｂ及び後方貫通口１１ｃとが、それぞれ、縦方向に延びる中心線ＣＬｙに対して左右対称に配されており、各ウイング部６の前方貫通口１１ｂと後方貫通口１１ｃとは、横方向に延びる中心線ＣＬｘに対して前後非対称に配されている。具体的には、図１に示すように、各ウイング部６の三角形状の前方貫通口１１ｂの全体の大きさよりも、三角形状の後方貫通口１１ｃの全体の大きさの方が、大きく形成されている。その為、貫通口１１ｂの領域におけるクロッチの幅に対して、貫通口１１ｃの領域におけるクロッチの幅が広いショーツに装着する際においても、クロッチ仮想線ＩＬに沿いやすいために、安定的にウィングの捲れを防止することが容易となる。
【００３５】
また、ナプキン１の各ウイング部６の貫通口１１（前方貫通口１１ｂ，後方貫通口１１ｃ）は、図１に示すように、クロッチ仮想線に沿う方向に関して、内側（中心線ＣＬｘ寄り）の大きさよりも外側の大きさの方が大きくなっている。その為、外側の変形可能領域が大きくなるので、ウィングが捲れようとする力を緩和する効果がより高まる。
【００３６】
本発明は、上述した実施形態に何ら制限されるものではなく、適宜変更可能である。
例えば、上述したナプキン１の各ウイング部６の貫通口１１（前方貫通口１１ｂ，後方貫通口１１ｃ）は、図１に示すように、クロッチ仮想線ＩＬに沿って延びているが、クロッチ仮想線ＩＬに沿って延びていなくてもよい。
【００３７】
また、上述したナプキン１の貫通口１１（前方貫通口１１ｂ，後方貫通口１１ｃ）の代わりに、図４に示すような、２本以上のスリット１２１，１２２が交差してなるスリット部１２を有していてもよい。このようなスリット部１２について、具体的に説明すると、スリット部１２は、スリット１２１とスリット１２２とが交差角度４５°以上９０°以下で交差して形成されるものである。スリット１２１，１２２は、ナプキン１の厚み方向に切り込んで形成されており、スリット部１２は、一対のウイング部６，６それぞれに形成されている。各ウイング部６のスリット部１２は、図４に示すように、前付け根６０ｂ側の前方スリット部１２ｂと後付け根６０ｃ側のスリット部１２ｃとからなっている。
【００３８】
各ウイング部６のスリット部１２、即ち、前方スリット部１２ｂ及び後方スリット部１２ｃそれぞれは、図４に示すように、クロッチ仮想線ＩＬ上に配されており、例えば、スリット部１２を形成するスリットの内のスリット１２２が、クロッチ仮想線ＩＬ上に沿って、延びていることが好ましい。前付け根６０ｂ側のスリット部（前方スリット部１２ｂ）と後付け根６０ｃ側のスリット部（後方スリット部１２ｃ）との間隔Ｌ３は、ウィング部の千切れ防止、および中央部分で吸収体を固定することによるヨレ防止の観点から、前付け根６０ｂと後付け根６０ｃとの間の距離Ｌ２の、６０％以上であり、６５％以上が好ましく、７０％以上が更に好ましく、そして、９０％以下であり、８５％以下が好ましく、８０％以下が更に好ましく、一層具体的には、６０％以上９０％以下であり、６５％以上８５％以下であることが好ましく、７０％以上８０％以下であることが更に好ましい。
【００３９】
各ウイング部６のスリット部１２（前方スリット部１２ｂ，後方スリット部１２ｃ）は、ナプキン１の外周縁１ｗよりも内側に配されており、周縁シール部８よりも内側に配されていることが好ましく、接着剤９が塗工された領域内に配されていることが更に好ましい。
【００４０】
以上のように前方スリット部１２ｂ及び後方スリット部１２ｃが形成されていると、一対のウイング部６，６の内の、一方のウイング部６の前方スリット部１２ｂ及び後方スリット部１２ｃと、他方のウイング部６の前方スリット部１２ｂ及び後方スリット部１２ｃとは、それぞれ、縦方向に延びる中心線ＣＬｙに対して左右対称に配されている。更に、各ウイング部６の前方スリット部１２ｂと後方スリット部１２ｃとは、横方向に延びる中心線ＣＬｘに対して前後対称に配されている。
【００４１】
ナプキン１が、図４に示すような、２本以上のスリット１２１，１２２が交差してなるスリット部１２を有していると、大きく貫通する穴が無いので、見た目の安心感が向上する。また、スリット部１２は、２本以上のスリット１２１，１２２が交差して変形領域が形成されるので、貫通口１１（前方貫通口１１ｂ，後方貫通口１１ｃ）と同様の効果を奏することができる。
【００４２】
更に、上述したナプキン１においては、図１に示すように、各ウイング部６の前方貫通口１１ｂと後方貫通口１１ｃとが、横方向に延びる中心線ＣＬｘに対して前後非対称に配されているが、前後対称となるような、貫通口１１（前方貫通口１１ｂ，後方貫通口１１ｃ）の形状であってもよい。
【００４３】
具体的には、例えば、図５（ａ）に示すように、各ウイング部６の貫通口１１（前方貫通口１１ｂ，後方貫通口１１ｃ）は、横方向に延びる中心線ＣＬｘに向かって延びる三角形状に形成されており、内側（中心線ＣＬｘ寄り）から外側に向かって漸次大きさが大きくなっている。このように、図５（ａ）に示す貫通口１１（前方貫通口１１ｂ，後方貫通口１１ｃ）は、内側（中心線ＣＬｘ寄り）の大きさよりも外側の大きさの方が大きくなっている。また、図５（ａ）に示すように、三角形状の前方貫通口１１ｂの全体の大きさと、三角形状の後方貫通口１１ｃの全体の大きさとが、同じ大きさとなっている。
【００４４】
また、例えば、図５（ｂ）に示すように、各ウイング部６の貫通口１１（前方貫通口１１ｂ，後方貫通口１１ｃ）は、横方向に延びる中心線ＣＬｘに向かって複数個の円形状が連なって形成されており、内側（中心線ＣＬｘ寄り）から外側に向かって円形状の大きさが大きくなっている。このように、図５（ｂ）に示す貫通口１１（前方貫通口１１ｂ，後方貫通口１１ｃ）は、内側（中心線ＣＬｘ寄り）の大きさよりも外側の大きさの方が大きくなっている。また、図５（ｂ）に示すように、円形状が連なった前方貫通口１１ｂの全体の大きさと、円形状が連なった後方貫通口１１ｃの全体の大きさとが、同じ大きさとなっている。
【００４５】
従って、図５（ａ），図５（ｂ）に示す各ウイング部６の貫通口１１（前方貫通口１１ｂ，後方貫通口１１ｃ）においては、一対のウイング部６，６の内の、一方のウイング部６の前方貫通口１１ｂ及び後方貫通口１１ｃと、他方のウイング部６の前方貫通口１１ｂ及び後方貫通口１１ｃとが、それぞれ、縦方向に延びる中心線ＣＬｙに対して左右対称に配されており、各ウイング部６の前方貫通口１１ｂと後方貫通口１１ｃとは、横方向に延びる中心線ＣＬｘに対して前後対称に配されている。このように配されていると、ナプキン１の前方領域Ｂと後方領域Ｃの大きさが同一の場合に、どちらを前側になるように使用しても、クロッチ仮想線に沿いやすいために、安定的にウィングのめくれを防止するとの効果を奏する。
【００４６】
また、具体的には、例えば、図６（ａ）に示すように、各ウイング部６の貫通口１１（前方貫通口１１ｂ，後方貫通口１１ｃ）は、意匠性を有するハート型形状の図案となっている。このように、図６（ａ）に示す貫通口１１（前方貫通口１１ｂ，後方貫通口１１ｃ）は、その中央部分の大きさが最も大きくなっている。また、図６（ａ）に示すように、ハート型形状の前方貫通口１１ｂの全体の大きさと、ハート型形状の後方貫通口１１ｃの全体の大きさとが、同じ大きさとなっている。
【００４７】
また、例えば、図６（ｂ）に示すように、各ウイング部６の貫通口１１（前方貫通口１１ｂ，後方貫通口１１ｃ）は、クロッチ仮想線ＩＬ上に沿って延びる楕円形状となっている。このように、図６（ｂ）に示す貫通口１１（前方貫通口１１ｂ，後方貫通口１１ｃ）は、その中央部分の大きさが最も大きくなっている。また、図６（ｂ）に示すように、楕円形状の前方貫通口１１ｂの全体の大きさと、楕円形状の後方貫通口１１ｃの全体の大きさとが、同じ大きさとなっている。
【００４８】
また、例えば、図６（ｃ）に示すように、各ウイング部６の貫通口１１（前方貫通口１１ｂ，後方貫通口１１ｃ）は、意匠性を有する星型形状の図案となっている。このように、図６（ｃ）に示す貫通口１１（前方貫通口１１ｂ，後方貫通口１１ｃ）は、その中央部分の大きさが最も大きくなっており、クロッチ仮想線ＩＬ上に沿って延びる部分を有している。また、図６（ｃ）に示すように、星型形状の前方貫通口１１ｂの全体の大きさと、星型形状の後方貫通口１１ｃの全体の大きさとが、同じ大きさとなっている。
【００４９】
また、例えば、図６（ｄ）に示すように、各ウイング部６の貫通口１１（前方貫通口１１ｂ，後方貫通口１１ｃ）は、意匠性を有する外方を示す矢印形状の図案となっている。このように、図６（ｄ）に示す貫通口１１（前方貫通口１１ｂ，後方貫通口１１ｃ）は、その中央部分の大きさが最も大きくなっており、クロッチ仮想線ＩＬ上に沿って延びる部分を有している。また、図６（ｄ）に示すように、矢印形状の前方貫通口１１ｂの全体の大きさと、矢印形状の後方貫通口１１ｃの全体の大きさとが、同じ大きさとなっている。
【００５０】
従って、図６（ａ），図６（ｂ），図６（ｃ），図６（ｄ）に示す各ウイング部６の貫通口１１（前方貫通口１１ｂ，後方貫通口１１ｃ）においては、一対のウイング部６，６の内の、一方のウイング部６の前方貫通口１１ｂ及び後方貫通口１１ｃと、他方のウイング部６の前方貫通口１１ｂ及び後方貫通口１１ｃとが、それぞれ、縦方向に延びる中心線ＣＬｙに対して左右対称に配されており、各ウイング部６の前方貫通口１１ｂと後方貫通口１１ｃとは、横方向に延びる中心線ＣＬｘに対して前後対称に配されている。このように配されていると、ナプキン１の前方領域Ｂと後方領域Ｃの大きさが同一の場合に、どちらを前側になるように使用しても、クロッチ仮想線に沿いやすいために、安定的にウィングのめくれを防止するとの効果を奏する。また、図６（ａ），図６（ｂ），図６（ｃ），図６（ｄ）に示す貫通口１１（前方貫通口１１ｂ，後方貫通口１１ｃ）は、クロッチ仮想線ＩＬに沿う方向に関して、その両端よりも中央寄り部分の大きさが最も大きくなっている。その為、ウィング部６をクロッチの側縁に沿って折り返す際に、貫通孔１１が変形しやすく、ウィングが捲れようとする力を緩和する効果が高まるとの効果を奏する。
【００５１】
また、上述したナプキン１においては、図２に示すように、ウイング部６が、裏面シート３の延出部分とサイドシート７の延出部分とから形成されているが、表面シート２の延出部分と裏面シート３の延出部分とから形成されていてもよく、表面シート２、裏面シート３及びサイドシート７以外の別部材のシートから形成されていてもよい。
【００５２】
本発明の吸収性物品は、生理用ナプキン以外にも、例えば、失禁者用パッド、パンティーライナー等に好適に用いることができる。
【００５３】
〔１〕液透過性の表面シート、液難透過性の裏面シート及びそれらの間に配された吸収体を具備する縦長の吸収性本体と、該吸収性本体の縦方向に沿う両側部から外方に延出する一対のウイング部とを有する吸収性物品であって、前記ウイング部の前付け根及び後付け根それぞれの近傍で且つ前記吸収性物品の外周縁よりも内側に、貫通口又は２本以上のスリットが交差してなるスリット部を有し、前付け根側及び後付け根側それぞれの前記貫通口又は前記スリット部は、前記吸収性物品を下着のクロッチ部に装着する際に前記ウイング部を前記クロッチ部の側縁に沿って非肌対向面側に折り返してクロッチ仮想線を形成した場合に、該クロッチ仮想線上に配されており、前記前付け根側の前記貫通口と前記後付け根側の前記貫通口との間隔、又は前記前付け根側の前記スリット部と前記後付け根側の前記スリット部との間隔は、前記前付け根と前記後付け根との間の距離の６０％以上９０％以下である吸収性物品。
〔２〕前記貫通口又は前記スリット部は、前記クロッチ仮想線に沿って延びている前記〔１〕に記載の吸収性物品。
〔３〕前記吸収性物品は、その全外周縁に亘って接合により形成された周縁シール部を有し、
前記貫通口又は前記スリット部は、前記周縁シール部よりも内側に配されている前記〔１〕又は〔２〕に記載の吸収性物品。
〔４〕一方の前記前付け根側の前記貫通口及び前記後付け根側の前記貫通口と他方の前記前付け根側の前記貫通口及び前記後付け根側の前記貫通口とは、又は一方の前記前付け根側の前記スリット及び前記後付け根側の前記スリットと他方の前記前付け根側の前記貫通口及び前記後付け根側の前記貫通口とは、それぞれ、縦方向に延びる前記吸収性物品の中心線に対して左右対称に配されている前記〔１〕〜〔３〕の何れか１つに記載の吸収性物品。
〔５〕前記吸収性物品は前記貫通口を有し、一方の前記前付け根側の前記貫通口及び前記後付け根側の前記貫通口と、他方の前記前付け根側の前記貫通口及び前記後付け根側の前記貫通口とは、それぞれ、縦方向に延びる前記吸収性物品の中心線に対して左右対称に配されており、前記前付け根側の前記貫通口と前記後付け根側の前記貫通口とは、横方向に延びる前記吸収性物品の中心線に対して前後非対称に配されている前記〔１〕〜〔３〕の何れか１項に記載の吸収性物品。
〔６〕前記前付け根側の貫通口よりも前記後付け根側の貫通口の方が大きい、前記〔５〕記載の吸収性物品。
〔７〕前記吸収性物品は前記貫通口を有し、一方の前記前付け根側の前記貫通口及び前記後付け根側の前記貫通口と、他方の前記前付け根側の前記貫通口及び前記後付け根側の前記貫通口とは、それぞれ、縦方向に延びる前記吸収性物品の中心線に対して左右対称に配されており、前記前付け根側の前記貫通口と前記後付け根側の前記貫通口とは、横方向に延びる前記吸収性物品の中心線に対して前後対称に配されている前記〔１〕〜〔３〕の何れか１つに記載の吸収性物品。
〔８〕前記貫通口は、前記クロッチ仮想線に沿う方向に関して、内側の大きさよりも外側の大きさの方が大きい前記〔１〕〜〔７〕の何れか１項に記載の吸収性物品。
〔９〕前記貫通口は、前記クロッチ仮想線に沿う方向に関して、内側に頂点、外側に底辺を備える三角形である前記〔８〕記載の吸収性物品。
〔１０〕前記貫通口は、前記クロッチ仮想線に沿う方向に関して、その両端部よりも中央寄り部分の大きさが最も大きい前記〔１〕〜〔７〕の何れか１項に記載の吸収性物品。
〔１１〕前記貫通口間の間隔又はスリット間の間隔の前後付根部間の距離に対する比が６５％以上８５％以下である前記〔１〕〜〔１０〕の何れか１つに記載の吸収性物品。
〔１２〕前記比が７０％以上８０％以下である前記〔１１〕記載の吸収性物品。
【符号の説明】
【００５４】
１  生理用ナプキン（吸収性物品）
１ｗ  外周縁
２  表面シート
３  裏面シート
４  吸収体
５  吸収性本体
５ｓ  側部
６  ウイング部
６０ｂ  前付け根
６０ｃ  後付け根
７  サイドシート
８  周縁シール部
９  接着剤
１０  固定部
１１  貫通口
１１ｂ  前方貫通口
１１ｃ  後方貫通口
１２  スリット部
１２ｂ  前方スリット部
１２ｃ  後方スリット部
１２１，１２２  スリット
２０  下着
２１  クロッチ部
２１ｓ  側縁
Ａ  排泄部領域
Ｂ  前方領域
Ｃ  後方領域
ＣＬｙ  縦方向に延びる中心線、ＣＬｘ  横方向に延びる中心線
ＩＬ  クロッチ仮想線
【図１】
2014064858.tif 000003
【図２】
2014064858.tif 000004
【図３】
2014064858.tif 000005
【図４】
2014064858.tif 000006
【図５】
2014064858.tif 000007
【図６】
2014064858.tif 000008